(57)【要約】【課題】指先まで覆うタイプの作業用手袋につき、一方の手の作業用手袋を嵌めたままで、他方の手の作業用手袋を容易に脱着できるようにする。【解決手段】作業用手袋本体の開口部３０の近傍に位置していて、第一の面ファスナ４４が取り付けられているベルト部４０と、ベルト部４０に対応する位置に取り付けられていて、第一の面ファスナ４４との間で張り付きを実現する第二の面ファスナ３２が取り付けられ開口部３０とを備え、第一の面ファスナ４４は、ベルト部４０の先端部４２を除いた位置に取り付けられている。【選択図】図７
2018035462.tif 000002
【特許請求の範囲】
【請求項１】
作業用手袋本体と、
前記作業用手袋本体の開口部の近傍に位置していて、第一の面ファスナが取り付けられているベルト部と、
前記ベルト部に対応する位置に取り付けられていて、前記第一の面ファスナとの間で張り付きを実現する第二の面ファスナが取り付けられた開口部と、を備え、
前記第一の面ファスナは、前記ベルト部の先端部を除いた位置に取り付けられている作業用手袋。
【請求項２】
前記先端部の長さは、前記作業用手袋本体を構成する掌側部の厚さに応じた長さとされている、請求項１記載の作業用手袋。
【請求項３】
前記作業用手袋本体の内側に位置する当該作業用手袋本体の形状に対応する形状の防水フィルムと、
前記作業用手袋本体と前記防水フィルムとを貼り合わせる接着テープと、
前記接着テープと前記作業用手袋本体との間に位置する浸水低減フィルムと、
を備える、請求項１記載の作業用手袋。
【請求項４】
前記作業用手袋の装着者の指に接触可能な導電性素材が、当該作業用手袋の指部の先端部に位置する、請求項１記載の作業用手袋。
【発明の詳細な説明】
【技術分野】
【０００１】
本発明は、作業用手袋に関し、例えば、消防隊員、レスキュー隊員が好適に用いることができる作業用手袋に関する。
【背景技術】
【０００２】
特許文献１には、人間の手を自然に開いた状態に対応した形状となる作業用手袋の耐久性を向上させる技術が開示されている。この作業用手袋は、  作業用手袋本体と、前記作業用手袋本体の掌部から親指部と人差指部との付根付近を通り甲部までを覆う受け部と、前記作業用手袋本体と前記受け部との間であって前記親指部と前記人差指部との付根付近に位置する補強部とを備え、前記受け部は、作業用手袋本体がその使用時に人間の手を自然に開いた状態に保持する形状保持部が形成されている。
【０００３】
【特許文献１】特開２０１４−４７２４７号公報
【発明の開示】
【発明が解決しようとする課題】
【０００４】
特許文献１に開示されている技術は、装着者の指先が露出するタイプの作業用手袋にも、装着者の指先まで覆うタイプの作業用手袋にも適用することができるものであり、耐久性を向上させる点においては十分であろう。
【０００５】
しかし、主として、特許文献１に開示されている技術は、装着者の指先が露出するタイプの作業用手袋について検討していた結果、指先まで覆うタイプの作業用手袋において、作業用手袋の装着者が、その作業用手袋を簡単に脱着できるようにする点については十分に考察されていない。
【０００６】
そこで、本発明は、主として、指先まで覆うタイプの作業用手袋につき、一方の手の作業用手袋を嵌めたままで、他方の手の作業用手袋を容易に脱着できるようにすることを課題とする。
【課題を解決するための手段】
【０００７】
上記課題を解決するために、本発明の作業用手袋は、
作業用手袋本体と、
前記作業用手袋本体の開口部の近傍に位置していて、第一の面ファスナが取り付けられているベルト部と、
前記ベルト部に対応する位置に取り付けられていて、前記第一の面ファスナとの間で張り付きを実現する第二の面ファスナが取り付けられた開口部と、を備え、
前記第一の面ファスナは、前記ベルト部の先端部を除いた位置に取り付けられている。
【０００８】
前記先端部は、前記作業用手袋本体を構成する掌側部の厚さに応じた長さとされているとよい。
【０００９】
また、少なくとも、前記作業用手袋本体の掌部から親指部と人差指部との付根付近を通り甲部までを覆う二重構造とし、選択的に前記親指部と前記人差指部との付根付近も覆い、作業用手袋本体がその使用時に人間の手を自然に開いた状態に保持するようにしてもよい。こうすると、ロープ降下する際に好適に用いることができる作業用手袋とすることができる。
【００１０】
さらに、作業用手袋本体の内側に、粘着テープを介して作業用手袋本体の形状に対応する形状の防水フィルムを設けるとともに、前記接着テープと前記作業用手袋本体との間に浸水低減フィルムを位置させてもよい。こうすると、防水効果を有する作業用手袋とすることができる。
【００１１】
さらにまた、作業用手袋の装着者の指に接する導電性素材を、作業用手袋の指部の先端部に位置させることもできる。こうすると、静電容量式タッチパネルの操作に対応可能な作業用手袋とすることができる。導電性素材の位置は、親指部の人差指部側の側部とその逆側の側部との一方に又は双方とすることが考えられる。或いは、導電性素材の位置は、人差指部の先端側部、薬指部の先端側部、小指部の先端側部とすることもできる。導電性素材は、手袋本体に対して縫い付け又は接着剤によって取り付ければよい。
【発明の実施の形態】
【００１２】
以下、本発明の実施形態について、図面を参照して説明する。
【００１３】
図１は、本発明の実施形態の作業用手袋１００の掌側から見た概略図である。図２は、図１に示す作業用手袋１００を甲側から見た概略図である。図３は、図１に示す作業用手袋１００を小指部側から見た概略図である。図４は、図１に示す作業用手袋１００を親指部側から見た概略図である。図５は、図１に示す作業用手袋１００を指先部側から見た概略図である。図６は、図１に示す作業用手袋１００を開口部３０側から見た概略図である。
【００１４】
図１〜図６に示すように、本実施形態の作業用手袋１００は、甲側部１０と、甲側部１０に縫い合わさられる掌側部２０と、甲側部１０と 掌側部２０とによって構成される作業用手袋本体の開口部３０と、開口部３０に着脱されるベルト部４０とを備える。
【００１５】
甲側部１０と 掌側部２０とによって構成される作業用手袋本体は、本実施形態の作業用手袋１００の装着者の手を包むものである。作業用手袋本体は、例えば、人工皮革を素材として用いることができる。作業用手袋本体は、０．５ｍｍ〜１．０ｍｍ程度、好ましくは、０．７ｍｍ〜０．８ｍｍ程度の厚さとすればよいが、これよりも薄くしてもよいし、厚くしてもよい。掌側部２０には、指部分を除く部位を二層構造として、補強してもよい。
【００１６】
二層構造とする場合の一例としては、二層目の補強部を、作業用手袋本体の掌側から親指部と人差指部との付根付近を通り、甲部までを覆う態様で縫合するとよい。また、この補強部は、例えば、牛皮或いは山羊皮を素材として用いることができる。補強部は、１．５ｍｍ〜２．５ｍｍ程度、好ましくは、１．８ｍｍ〜２．０ｍｍの厚さとすればよいが、これよりも薄くしてもよいし厚くしてもよい。
【００１７】
さらに、補強部は、牛皮等をそのスエード加工した面が表面となる態様で作業用手袋本体に縫合するとよい。これにより、作業用手袋１００自体又は補強部に穴あきが生じることが軽減される。もっとも、補強部は、用途に応じてスエード面が裏面となる態様で縫合することもできる。
【００１８】
開口部３０は、本実施形態の作業用手袋１００の装着者の手首付近を包むものである。開口部３０は、例えば、布を素材として用いることができる。開口部３０は、例えば、０．５ｍｍ〜１．０ｍｍ程度、好ましくは、０．７ｍｍ〜０．８ｍｍ程度の厚さとすればよいが、これよりも薄くしてもよいし、厚くしてもよい。
【００１９】
ベルト部４０は、開口部３０とともに作業用手袋１００の装着者の手首付近を締め付けることによって、作業用手袋１００が装着者の手から離脱することを防止するものである。ベルト部４０は、例えば、作業用手袋本体と同様の素材、つまり、人工皮革を素材として用いることができる。ベルト部は、０．５ｍｍ〜１．０ｍｍ程度、好ましくは、０．７ｍｍ〜０．８ｍｍ程度の厚さとすればよいが、これよりも薄くしてもよいし、厚くしてもよい。
【００２０】
なお、本実施形態の作業用手袋１００は、装着者の指先まで覆うタイプのものに好適に用いることができるが、装着者の指先が露出するタイプのものであっても好適に用いることができる。これは、その作業用手袋の上から、指先まで覆うタイプの作業用手袋をオーバーグローブとして重ねて装着することがある点を考慮すると、適用することの実益があるからである。
【００２１】
図７は、図１の開口部３０及びベルト部４０付近の拡大図である。ここでは、作業用手袋１００の左手側の開口部３０に装着されているベルト部４０を、作業用手袋１００の右手側を装着した状態で、開口部３０から脱着する状態を示している。
【００２２】
ベルト部４０には、第一の面ファスナ４４が取り付けられている。第一の面ファスナ４４は、例えば、フック面が形成されたパーツとループ面が形成されたパーツとを含む面ファスナを採用する場合には、フック面が形成されているパーツとすることが考えられるが、反対にループ面が形成されたパーツとすることもできる。
【００２３】
開口部３０には、第二の面ファスナ３２が取り付けられている。第二の面ファスナ３２は、例えば、フック面が形成されたパーツとループ面が形成されたパーツとを含む面ファスナを採用する場合には、ループ面が形成されているパーツとすることが考えられるが、反対にフック面が形成されたパーツとすることもできる。
【００２４】
開口部３０とベルト部４０とは、第二の面ファスナ３２と第一の面ファスナ４４とが張り付くこと、又は、これらの張り付きが解除されることによって相互の着脱が可能となる。なお、第一の面ファスナ４４及び第二の面ファスナ３２としては、フック面とループ面とがそれぞれ形成されたパーツではなく、双方ともに、マッシュルームのような形状、鋸歯のような形状の面が形成された一対のパーツを含む面ファスナを採用してもよい。
【００２５】
ここで、本実施形態では、第一の面ファスナ４４の取り付け位置が特徴的である。すなわち、第一の面ファスナ４４は、ベルト部４０の端部から所定距離だけ離れた領域である先端部４２を除いた位置に取り付けられている。換言すると、第一の面ファスナ４４は、ベルト部４０の先端部４２には取り付けられていない。
【００２６】
先端部４２の長さ、つまり、ベルト部４０の端部から所定距離は、掌側部２０の厚さ、とりわけ、掌側部２０の指部の厚さに依存して決定される。当該指部の厚みが増せば増すほど、作業用手袋１００の装着者は、自身の指の感覚と、指部表面とその接点との関係にズレが生じることから、ベルト部４０の先端を掴みにくくなる。
【００２７】
そこで、このズレを補完するために、掌側部２０の厚さに対応させて、ベルト部４０の端部から所定距離までの領域で規定される先端部４２に、第二の面ファスナ３２を取り付けないようにしている。こうすると、先端部４２は、開口部３０との間で着脱される部位にはならない。したがって、作業用手袋１００の装着者が、当該手袋を外すことなく、把持することができる。
【００２８】
なお、先端部４２があまりに長いと、先端部４２が何らかの物体等に引っかかったりすることにより、作業の邪魔になることも考えられるので、先端部４２の長さは、概ね、掌側部２０の厚さの５倍から１０倍程度とするとよい。既述のように、一例としては、掌側部２０の厚さは、０．５ｍｍ〜１．０ｍｍ程度とすることが考えられるので、係る場合には、先端部４２の長さは、２．５ｍｍ〜１０ｍｍ程度とすることが考えられる。
【００２９】
本実施形態の作業用手袋１００は、付加的に、消防隊員等がロープなどで昇降する際に好適に用いる例を示したが、この他にも、作業用手袋１００に、防水機能を持たせたり、静電容量式タッチパネルの操作機能を持たせたりすることができ、作業用手袋１００の用途は限定されるものではない。
【００３０】
図８は、消防隊員等がロープなどで昇降する際に好適に用いられる作業用手袋１００の説明図である。図８には、既述の部分に加えて、以下説明する、受け部１２と、補強部１４と、形状保持部１６と、形状保持部１８とを備える。
【００３１】
受け部１２は、ロープなどを受ける位置に対応され、作業用手袋本体の掌側から親指部と人差指部との付根付近を通り甲側部１０までを覆う態様で縫合されている部位である。受け部１２は、例えば、牛皮或いは山羊皮を素材として用いることができる。受け部１２は、１．５ｍｍ〜２．５ｍｍ程度、好ましくは、１．８ｍｍ〜２．０ｍｍの厚さとすればよいが、既述のように、作業用手袋本体を含めた既述の総厚さとの関係で、これよりも薄くしてもよいし厚くしてもよい。
【００３２】
さらに、受け部１２は、牛皮等をそのスエード加工した面が表面となる態様で作業用手袋本体１０に縫合するとよい。こうすることにより、ロープなどとの間の摩擦によって、受け部１２に穴あきが生じることが軽減される。もっとも、受け部１２は、用途に応じてスエード面が裏面となる態様で縫合することもできる。
【００３３】
補強部１４は、作業用手袋本体と受け部１２との間であって親指部と人差指部との付根付近に位置していて、受け部１２に穴あきを生じさせにくくするための部位である。本実施形態では、補強部１４は、作業用手袋１００の掌部の人差指部の基部付近から、親指部と人差指部との間の付根付近を通り、甲側部１０の中指部付近までを覆う形状とされている。
【００３４】
また、補強部１４は、受け部１２に採用している素材と同条件の素材を用いてもよいし、他の皮製品を用いてもよい。補強部１４の厚さについても、例えば、受け部１２と同程度とすればよい。補強部１４は、例えば、受け部１２に対して縫合すればよい。或いは、これに代えて又はこれとともに、接着剤或いは両面テープなどを用いて貼付するとよい。この結果、受け部１２は、補強部１４との重畳部分を厚くした場合と同程度の強度を持たせることができる。
【００３５】
さらに、補強部１４を設けることによって、ロープなどとの間の摩擦によって受け部１２に穴あきが生じたとしても、補強部１４にまで穴あきが生じるまでは、使用することも可能であろう。
【００３６】
形状保持部１６及び形状保持部１８は、補強部１４の近傍に位置していて、作業用手袋１００の使用時の形状が、作業用手袋１００の装着者の指の関節の曲がり具合が自然な状態に近い形状とするための部位である。すなわち、形状保持部１６及び形状保持部１８は、作業用手袋本体１０がその使用時に手を自然に開いた状態に近い状態で保持するための部位である。
【００３７】
また、形状保持部１６は、受け部１２において補強部１４よりも親指部側に形成されていて、形状保持部１８は、受け部１２において補強部１４よりも人差指部側に形成されている。形状保持部１６，１８は、それぞれ、受け部１２に対して縫合されている。形状保持部１６及び形状保持部１８は、受け部１２に採用している素材と同条件の素材を用いてもよいし、他の皮製品を用いてもよい。
【００３８】
本実施形態では、補強部１４に付随して、これらに隣接する位置に、形状保持部１６，１８を形成することで、作業用手袋１００の使用時の形状を、作業用手袋１００の装着者の指の関節の曲がり具合が自然な状態に近い形状とすることを実現している。
【００３９】
図９は、防水機能を持たせた作業用手袋１００の製造工程の説明図である。
【００４０】
図９（ａ）に示すように、本実施形態では、作業用手袋１００の装着者が直に触れることになる内側部材６０に対して、図示しない両面テープなどを通じて防水フィルム５０を貼付する。もっとも、防水フィルム５０は、内側部材６０と作業用手袋本体との間に位置していればよいので、防水フィルム５０の貼付対象は、作業用手袋側、具体的には、以下説明する、作業用手袋に貼付された接着テープ７０とすることもできる。
【００４１】
図９（ｂ）に示すように、本実施形態では、作業用手袋１００を作成する。具体的には、まず、作業用手袋１００の少なくとも指部の内側先端部に対して、２枚重ね又は折り畳んで２重にした浸水低減フィルム８０を配置する。そして、その状態で布帛の指部及び掌側部２０に対して所望の糸などを用いて、皮部を縫い付ける。つづいて、所望の長さにカットされた接着テープ７０（両面テープ）の一方の面の剥離紙を剥がして、各指部の少なくとも内側先端部に浸水低減フィルム８０に貼付する。
【００４２】
図９（ｃ）に示すように、本実施形態では、図９（ａ）に示す内側部材６０側と図９（ｂ）に示す作業用手袋側とを貼り合わせる。これらの貼り合わせは、接着テープ７０（両面テープ）の他方の面の剥離紙を剥がして、そこに、内側部材６０を位置合わせした状態で、防水フィルム５０を接着テープ７０に貼付する。
【００４３】
図９（ｄ）に示すように、本実施形態では、その後に、図９（ｃ）に示す状態のものを、内側部材６０を基準に内外裏返す。そうすると、それまでは防水フィルム５０で覆われた内側部材６０とこれに貼付された状態で重ね合わされた作業用手袋とが、外から内に向けて、作業用手袋本体、防水フィルム５０、内側部材６０といった順の構成となる。
【００４４】
図９（ｅ）に示すように、本実施形態では、防水フィルム５０の余剰分をカットして、既知のように、裾テープ、ベルト等を開口部に取り付けることで、図１等に示すような作業用手袋１００が完成する。
【００４５】
図１０は、静電容量式タッチパネルの操作機能を持たせた作業用手袋１００の説明図である。この作業用手袋１００は、装着者がスマートフォンの持ち手の親指でタッチパネルを操作するのみならず、その逆側の手で操作する場合にも好適なものである。
【００４６】
図１０に示す作業用手袋１００は、親指部の先端側部に対して人差指部側に操作部９０が、また、人差指部とは逆側の位置に操作部９０’が形成さている。なお、操作部９０等の位置は、図１０に示すものに限定されず、操作部９０は有さないものの、操作部９０’を有するタイプの作業用手袋１００としてもよいし、その逆でもよい。加えて、スマートフォンのタッチパネルに対するピンチイン、ピンチアウトといった操作をするために、例えば、人差指部の先端側部の中指部側或いはその逆側、又は、中指部の先端側部の薬指側或いはその逆側にも、既述の手法と同様の手法で、操作部を設けるようにすることもできる。
【００４７】
また、図１０に示すタイプの操作部９０等に代えて、又は、これとともに、例えば、指関節に対応する位置に操作部を形成してもよい。この場合には、当該操作部の形成位置を開口し、装着者の手に触れる位置に導電性素材を通し、接着剤などを用いて封止することで当該操作部の貼り付けを行うとよい。
【００４８】
以上説明したように、本実施形態の作業用手袋１００は、作業用手袋１００の装着者が、当該手袋を外すことなく、先端部４２を把持してベルト部４０を開口部３０から外すことができるので、作業用手袋の脱着を容易に行うことができる。
【図面の簡単な説明】
【００４９】
【図１】本発明の実施形態の作業用手袋１００の掌側から見た概略図である。
【図２】図１に示す作業用手袋１００を甲側から見た概略図である。
【図３】図１に示す作業用手袋１００を小指部側から見た概略図である。
【図４】図１に示す作業用手袋１００を親指部側から見た概略図である。
【図５】図１に示す作業用手袋１００を指先部側から見た概略図である。
【図６】図１に示す作業用手袋１００を開口部３０側から見た概略図である。
【図７】図１の開口部３０及びベルト部４０付近の拡大図である。
【図８】消防隊員等がロープなどで昇降する際に好適に用いられる作業用手袋１００の説明図である。
【図９】防水機能を持たせた作業用手袋１００の製造工程の説明図である。
【図１０】静電容量式タッチパネルの操作機能を持たせた作業用手袋１００の説明図である。
【符号の説明】
【００５０】
１０  甲側部
２０  掌側部
３０  開口部
３２  第二の面ファスナ
４０  ベルト部
４２  先端部
４４  第一の面ファスナ
１００  作業用手袋
【図１】
2018035462.tif 000003
【図２】
2018035462.tif 000004
【図３】
2018035462.tif 000005
【図４】
2018035462.tif 000006
【図５】
2018035462.tif 000007
【図６】
2018035462.tif 000008
【図７】
2018035462.tif 000009
【図８】
2018035462.tif 000010
【図９】
2018035462.tif 000011
【図１０】
2018035462.tif 000012